(57)【要約】【課題】  複雑な固定構造を用いないで且つ外部衝撃の影響を受けないようにして、フェライトアンテナをケース内に収納し固定する心拍計測装置を提供する。【解決手段】  心拍計測装置の心拍数送信機の送信用フェライトアンテナ１０は、棒状フェライトコア１２に巻線１１が施されて構成されたものである。心拍数送信機ケース１には、アンテナ収納凹部１４が形成されている。送信用フェライトアンテナ１０は、棒状フェライトコア１２の両端に装着されたキャップ状アンテナ枠１６をアンテナ収納凹部１４のアンテナ枠嵌合部１５に嵌め込んで、アンテナ収納凹部１４に保持されている。また、アンテナ収納凹部１４には弾性を有する接着剤１７が充填されている。【選択図】  図１
2006238169.tif 000002
【特許請求の範囲】
【請求項１】
利用者の心拍数を計測する心拍計測装置において、
弾性を有するキャップ状アンテナ枠を介してフェライトアンテナをケースのアンテナ収納凹部に収納したことを特徴とする心拍計測装置。
【請求項２】
前記アンテナ枠は、前記フェライトアンテナの棒状フェライトコアの両端に装着されるキャップ状アンテナ枠であることを特徴とする請求項１に記載の心拍計測装置。
【請求項３】
前記キャップ状アンテナ枠が両端に装着された前記フェライトアンテナは、前記キャップ状アンテナ枠が前記ケースのアンテナ収納凹部の両端にそれぞれに嵌め込まれて前記アンテナ収納凹部に保持されていることを特徴とする請求項１に記載の心拍計測装置。
【請求項４】
前記キャップ状アンテナ枠が両端に装着された前記フェライトアンテナは、前記キャップ状アンテナ枠が前記ケースの裏蓋に形成された凸部で押圧されて前記アンテナ収納凹部に保持されていることを特徴とする請求項１に記載の心拍計測装置。
【請求項５】
前記アンテナ収納凹部とここに収納された前記フェライトアンテナとの隙間には弾性を有する接着剤が充填されていることを特徴とする請求項３又は４に記載の心拍計測装置。
【請求項６】
前記フェライトアンテナは、利用者の胸に装着して前記利用者の心拍数を送信する送信機に使用する請求項１乃至５のいずれかに記載の心拍計測装置。
【発明の詳細な説明】
【技術分野】
【０００１】
本発明は心拍計測装置に関する。特に、心拍計測装置のアンテナ固定に関するものである。
【背景技術】
【０００２】
運動中の心拍数を測定する心拍計測装置は、例えば特開平１０−１５５７５３号公報（特許文献１）に開示されている如く、利用者の胸に装着される心拍数送信機と利用者の腕に装着される心拍数受信機とで構成されている。そして、前記心拍数送信機は、一対の胸電極と、前記胸電極からの心電信号に基づいて心拍数データを出力する心拍数演算部と、前記心拍数データを無線信号に変換するデータ送信部と、前記無線信号を送信する送信用アンテナと、電源電池と、これらを収納する胸装着型ケースとから構成されている。前記胸装着型ケースは、送信機ケースと胸部ベルトとで構成されている。また、心拍数受信機は前記無線信号を受信する受信アンテナと、前記無線信号を処理する信号処理部と、心拍数等を表示する表示部とを含んで構成されている。
【０００３】
ところで、前記送信アンテナは、フェライトコアに巻線を施したフェライトアンテナである。一般にフェライトアンテナは衝撃に弱く、このため、送信器ケースから衝撃を直接受けてしまうと割れてしまう。
【０００４】
そこで、上述の心拍計測装置においては、送信用フェライトアンテナは、ばね部を有するアンテナ接続板によって送信機ケースに隙間を設けて吊るすように取り付けられている。このようなアンテナ固定構造であるため、送信機ケースが受けた衝撃は前記アンテナ接続板のばね部で吸収され、前記送信用フェライトアンテナには衝撃は直接加わらなくなり、耐衝撃性の向上を図っている。しかしながら、アンテナ固定部材である前記ばね部を有するアンテナ接続板は構造が極めて複雑であり、従って製造に手間がかかりコストアップをもたらすという問題がある。また、大きな衝撃がケースに加わったときには、前記アンテナ接続板のばね部が大きく変形し、アンテナ接続板がケースの内壁に接触するという問題もある。
【０００５】
【特許文献１】実開平５−７１７９１号公報
【発明の開示】
【発明が解決しようとする課題】
【０００６】
本発明が解決しようとする課題は、複雑な固定構造を用いないで且つ外部衝撃の影響を受けないようにして、フェライトアンテナをケース内に収納し固定する心拍計測装置を提供することである。
【課題を解決するための手段】
【０００７】
本発明の心拍計測装置は、弾性を有するキャップ状アンテナ枠を介してフェライトアンテナをケースのアンテナ収納凹部に収納したことを特徴とする。そして、前記アンテナ枠は、前記フェライトアンテナの棒状フェライトコアの両端に装着されるキャップ状アンテナ枠である。また、前記キャップ状アンテナ枠が両端に装着された前記フェライトアンテナは、前記キャップ状アンテナ枠が前記ケースのアンテナ収納凹部の両端にそれぞれに嵌め込まれて前記アンテナ収納凹部に保持されているようにするか、あるいは、前記キャップ状アンテナ枠が両端に装着された前記フェライトアンテナは、前記キャップ状アンテナ枠が前記ケースの裏蓋に形成された凸部で押圧されて前記アンテナ収納凹部に保持されるようにしてもよい。前記アンテナ収納凹部とここに収納された前記フェライトアンテナとの隙間には弾性を有する接着剤が充填されている。
【発明の効果】
【０００８】
本発明により、複雑な固定構造を用いないで且つ外部衝撃の影響を受けないようにして、フェライトアンテナをケース内に収納し固定することができた。即ち、前記フェライトアンテナは前記ケースに対して直接接することなくケース内に配置されることになり、落下等の衝撃を前記ケースが受けても前記フェライトアンテナには衝撃が伝わらないので、アンテナの破損事故を防止できるようになった。
【発明を実施するための最良の形態】
【０００９】
本発明は、弾性を有するキャップ状アンテナ枠を介してフェライトアンテナをケースのアンテナ収納凹部に収納したことを特徴とする心拍計測装置である。前記キャップ状アンテナ枠は前記ケースのアンテナ収納凹部の両端にそれぞれに嵌め込まれる。このようにして前記アンテナ収納凹部に収納され、前記ケース内に保持された前記フェライトアンテナは、前記ケースに加わる衝撃から保護される。
【実施例１】
【００１０】
本発明の実施例１は、裏蓋を取り除いて示した図１の平面図、裏蓋と電子部品を取り除いて示した図２の斜視図、前記平面図の線Ａ−Ａで切断した図３の断面図、及び、前記平面図の線Ｂ−Ｂで切断した図４の断面図に示す。心拍計測装置のうち、利用者の胸に装着される心拍数送信機において、弾性を有するアンテナ枠１６を介して、送信用フェライトアンテナ１０を送信機ケース１のアンテナ収納凹部１４に収納したものである。
【００１１】
心拍数送信機は、一対の胸電極と、前記胸電極からの心電信号に基づいて心拍数データを出力する心拍数演算部と、前記心拍数データを無線信号に変換するデータ送信部と、前記無線信号を送信する送信用アンテナと、電源電池と、これらを収納する胸装着型ケースとから構成されている。これは一般的な心拍数送信機の基本的構成である。
【００１２】
実施例１において、前記胸装着型ケースは略矩形の送信機ケース１であり、前記電源電池は電池５である。送信機ケース１は裏蓋２と電池蓋３を備えている。また、前記心拍数演算部と前記データ送信部は、ＩＣ等の電子部品が搭載されている回路基板４で実現されている。送信用フェライトアンテナ１０は、棒状のフェライトコア１２に巻線１１が施されて構成されたものである。送信用フェライトアンテナ１０は、リード線１３によって回路基板４に接続されている。
【００１３】
略矩形の送信機ケース１には、図１及び図２に示す如く、中央部に電池収納凹部が形成され、この電池収納凹部の周囲にはバネ性を有するプラス端子板６が、その底面にはバネ性を有するマイナス端子板７がそれぞれ配置されている。前記電池収納凹部に電池５が収納されると、プラス端子板６とマイナス端子板７は電池５のプラス極とマイナス極にそれぞれ当接する。
【００１４】
アンテナ収納凹部１４は、略矩形の送信機ケース１の側面と前記電池収納凹部との間に設けられている。アンテナ収納凹部１４は、収納されるフェライトアンテナ１０のサイズに対応した形状と大きさを有する溝状凹部である。即ち、アンテナ収納凹部１４は、その両端部は後述するキャップ状アンテナ枠が嵌め込まれる形状と大きさの溝であり、且つその中間部はフェライトアンテナ１０の巻線１１を壁面に接触しないようにして収納する溝である。アンテナ収納凹部１４や上述の電池収納凹部を備えたプラスチック製の送信機ケース１は、プラスチック成型によって製造されている。
【００１５】
アンテナ枠１６は、送信用フェライトアンテナ１０の棒状のフェライトコア１２が嵌め込まれる大きさの弾性を有するキャップ状部品である。アンテナ枠１６は、シリコン材などの弾性材料をキャップ状に成型して製造される。
【００１６】
棒状フェライトコア１２に巻線１１を施された送信用フェライトアンテナ１０は、その棒状フェライトコア１２の両端に弾性を有するキャップ状アンテナ枠１６が嵌め込まれた後、送信機ケース１のアンテナ収納凹部１４に収納される。送信用フェライトアンテナ１０のアンテナ収納凹部１４への収納は、棒状フェライトコア１２の両端に装着されているキャップ状アンテナ枠１６をアンテナ収納凹部１４の両端に形成されているアンテナ枠嵌合部１５に嵌め込むことによって行われている。このようにして、送信用フェライトアンテナ１０は送信機ケース１にしっかりと保持されると共に、送信機ケース１に加わる衝撃から保護される。
【００１７】
送信用フェライトアンテナ１０は、上述の如く、キャップ状アンテナ枠１６をアンテナ収納凹部１４の両端のアンテナ枠嵌合部１５に嵌め込むことによって、送信機ケース１内に保持されているが、送信用フェライトアンテナ１０の送信機ケース１内への保持を更に強固にするための手段が採用されている。即ち、図３に示す如く、送信機ケース１の裏蓋２の一部に凸部２ａを形成する。凸部２ａは、送信機ケース１のアンテナ収納凹部１４の両端部に対応する裏蓋２の位置に形成される。従って、キャップ状アンテナ枠１６をアンテナ収納凹部１４の両端のアンテ枠嵌合部１５に嵌め込まれてアンテナ収納凹部１４に収納された送信用フェライトアンテナ１０は、送信機ケース１の裏蓋２を閉じたときに、そのキャップ状アンテナ枠１６が裏蓋２の凸部２ａによって押圧される。このようにして、送信用フェライトアンテナ１０は、送信機ケース１内に強固に保持されると共に、送信機ケース１に加わる衝撃から保護される。
【００１８】
また、送信用フェライトアンテナ１０の送信機ケース１内への保持を更に強固にするための他の手段は、図４に示す如く、弾性を有する接着剤１７で送信用フェライトアンテナ１０をアンテナ収納凹部１４に接着することである。即ち、アンテナ収納凹部１４は、その両端部はキャップ状アンテナ枠１６が嵌め込まれる形状と大きさの溝であり、且つその中間部はフェライトアンテナ１０の巻線１１を壁面に接触しないようにして収納する溝である。このため、アンテナ収納凹部１４の内壁と送信用フェライトアンテナ１０との間、特に巻線１１の外周面との間には隙間が生じている。この隙間に、弾性を有する接着剤１７を充填するのである。充填された弾性を有する接着剤１７によって、送信用フェライトアンテナ１０はアンテナ収納凹部１４に接着される。このようにして、送信用フェライトアンテナ１０は、送信機ケース１内に強固に保持されると共に、送信機ケース１に加わる衝撃から保護される。
【図面の簡単な説明】
【００１９】
【図１】裏蓋と電子部品を取り除いて示した本発明の実施例１の心拍数送信機の平面図である。
【図２】裏蓋を取り除いて示した本発明の実施例１の心拍数送信機の斜視図である。
【図３】図１の平面図の線Ａ−Ａで切断した本発明の実施例１の心拍数送信機の断面図である。
【図４】図１の平面図の線Ｂ−Ｂで切断した本発明の実施例１の心拍数送信機の断面図である。
【符号の説明】
【００２０】
１  送信機ケース
２  裏蓋
３  電池蓋
４  回路基板
５  電池
６  電池プラス端子板
７  電池マイナス端子板
１０  送信用フェライトアンテナ
１１  巻線
１２  棒状のフェライトコア
１３  リード線
１４  アンテナ収納凹部
１５  アンテナ枠嵌合部
１６  アンテナ枠
１７  弾性接着剤
【図１】
2006238169.tif 000003
【図２】
2006238169.tif 000004
【図３】
2006238169.tif 000005
【図４】
2006238169.tif 000006